(57)【特許請求の範囲】
【請求項１】
ヘアエクステンションを着用者の頭髪に取り付ける方法であって、頭髪をホルダの貫通孔に通した後に、プラグを貫通孔に挿入してホルダとプラグを頭髪上に定着させ、ヘアエクステンション側の接続具をプラグ及び／又はホルダに設けた取付部に着脱することを特徴とするヘアエクステンション取付方法。
【請求項２】
プラグをホルダの貫通孔に挿入したときに、ホルダとプラグの少なくとも何れか一方を弾性変形させ、弾性変形した部分の復元力により、ホルダとプラグを頭髪上に定着させることを特徴とする請求項１記載のヘアエクステンション取付方法。
【請求項３】
プラグを頭髪の先端側からホルダの貫通孔に挿入し、プラグの端面に設けた取付部にヘアエクステンション側の接続具を取り付け、ヘアエクステンションを頭髪の延長方向へ延びるようにプラグに接続することを特徴とする請求項１または２記載のヘアエクステンション取付方法。
【請求項４】
ヘアエクステンションを着用者の頭髪に取り付ける装置であって、頭髪を通す貫通孔が形成されたホルダと、貫通孔に挿入される挿入部によりホルダを頭髪上に定着させるプラグとを備え、プラグ及び／又はホルダに取付部を形成し、取付部に着脱される接続具をヘアエクステンション側に設けたことを特徴とするヘアエクステンション取付装置。
【請求項５】
前記ホルダを柔軟な弾性材料で筒形に形成し、取付部をホルダの軸線方向へ突出するようにプラグの端面に形成したことを特徴とする請求項４記載のヘアエクステンション取付装置。
【請求項６】
前記プラグの挿入部にホルダを弾性的に拡張変形させるテーパ面を設けたことを特徴とする請求項５記載のヘアエクステンション取付装置。
【請求項７】
前記プラグの挿入部が硬質材料からなるコアと柔軟材料からなるカバーとを備えたことを特徴とする請求項４〜６の何れか一項に記載のヘアエクステンション取付装置。
【発明の詳細な説明】
【技術分野】
【０００１】
本発明は、人工毛髪束や飾り紐等のヘアエクステンションを着用者の頭髪に取り付ける方法と装置に関する。
【背景技術】
【０００２】
従来、筒形のホルダを用いてヘアエクステンションを着用者の頭髪に取り付ける方法が知られている。例えば、特許文献１には、図１３に示すように、ホルダ５１の貫通孔５２に頭髪５３を通し、ヘアエクステンション（人工毛髪束）５４の一端部に固着した保持具５５を貫通孔５２に押し込み、頭髪５３を保持具５５とホルダ５１との間に挟着して、エクステンション５４を頭髪５３に取り付ける方法が記載されている。特許文献２には、図１４に示すように、接着剤や熱収縮性樹脂管からなる保持具５６をホルダ５１の貫通孔５２に挿入して、ヘアエクステンション５４を取り付ける方法が記載されている。
【特許文献１】特開２００４−２８５５５１号公報
【特許文献２】特開２００６−０４５７３４号公報
【発明の開示】
【発明が解決しようとする課題】
【０００３】
従来の取付方法によれば、保持具５５，５６の挟着力を利用して、ヘアエクステンション５４を頭髪５３上にしっかりと取り付けることができる。しかし、保持具５５，５６がヘアエクステンション５４上に固着されているので、ヘアエクステンション５４を取り外すと、ホルダ５１の位置が変わったり、ホルダ５１が頭髪５３から抜け落ちたりする。このため、次に取り付ける場合に、ホルダ５１の位置を調整したり、頭髪５３をホルダ５１の貫通孔５２に再び通したりする必要があり、ヘアエクステンション５４の着脱に手間がかかるという問題点があった。
【０００４】
そこで、本発明の目的は、ホルダを頭髪上に残した状態で、ヘアエクステンションを繰り返し容易に着脱できる方法と装置を提供することにある。
【課題を解決するための手段】
【０００５】
上記課題を解決するために、本発明は、人工毛髪束や飾り紐等のヘアエクステンションを着用者の頭髪に取り付ける新規な方法を提供する。この方法は、頭髪をホルダの貫通孔に通した後に、プラグを貫通孔に挿入してホルダとプラグを頭髪上に定着させ、ヘアエクステンション側の接続具をプラグ及び／又はホルダに設けた取付部に着脱することを特徴とする。
【０００６】
本発明は、ホルダとプラグを頭髪上に確実に定着させることができる方法を提供する。この方法は、プラグをホルダの貫通孔に挿入したときに、ホルダとプラグの少なくとも何れか一方を弾性変形させ、弾性変形した部分の復元力により、ホルダとプラグを頭髪上に定着させることを特徴とする。
【０００７】
本発明は、ヘアエクステンションを頭髪に見栄えよく装着できる方法を提供する。この方法は、プラグを頭髪の先端側からホルダの貫通孔に挿入し、プラグの端面に設けた取付部にヘアエクステンション側の接続具を取り付け、ヘアエクステンションを頭髪の延長方向へ延びるようにプラグに接続することを特徴とする。
【０００８】
また、本発明は、人工毛髪束や飾り紐等のヘアエクステンションを着用者の頭髪に取り付ける新規な装置を提供する。この装置は、頭髪を通す貫通孔が形成されたホルダと、貫通孔に挿入される挿入部によりホルダを頭髪上に定着させるプラグとを備え、プラグ及び／又はホルダに取付部を形成し、取付部に着脱される接続具をヘアエクステンション側に設けたことを特徴とする。
【０００９】
本発明は、着用者に違和感を与えることなく、ホルダとプラグを頭髪上に残すことができる装置を提供する。この装置は、ホルダを柔軟な弾性材料で筒形に形成し、取付部をホルダの軸線方向へ突出するようにプラグの端面に形成したことを特徴とする。
【００１０】
本発明は、ホルダとプラグを頭髪上に確実に定着させることができる装置を提供する。この装置は、プラグの挿入部にホルダを弾性的に拡張変形させるテーパ面を設けたことを特徴とする。
【００１１】
本発明は、プラグをホルダの貫通孔に容易に挿入できる装置を提供する。この装置は、プラグの挿入部が硬質材料からなるコアと柔軟材料からなるカバーとを備えたことを特徴とする。
【発明の効果】
【００１２】
本発明の取付方法および装置によれば、プラグでホルダを頭髪上に定着させ、ヘアエクステンション側の接続具をプラグまたはホルダ側の取付部に取り付けるので、ホルダとプラグを頭髪上に残した状態で、ヘアエクステンションを繰り返し容易に着脱できるという効果がある。
【発明を実施するための最良の形態】
【００１３】
以下、本発明の実施形態を図面に基づいて説明する。図１〜図５は本発明の取付方法及び装置を具体化した一実施例を示す。図１はヘアエクステンションを着用者の頭髪に取り付けた状態を示す。図２は取付装置のホルダ、プラグおよび接続具を分解して示す。図３は取付装置の各部を組み付けた状態を示す。図４はヘアエクステンションを頭髪に取り付ける手順を示す。図５はホルダとプラグを頭髪に定着させた状態を示す。図６〜図１２は本発明による取付装置の変更例を示す。
【実施例】
【００１４】
図１に示すように、着用者１の頭髪２には複数のヘアエクステンション３が取付装置１１によって取り付けられている。ヘアエクステンション３としては、人工毛髪を束ねたエクステンション（人工毛髪束）３Ａ、人造石を配したエクステンション（飾り紐）３Ｂのほか、着用者１の好みに応じた種々のパーツが使用される。ヘアエクステンション３の本数や取付部位は、図示例に限定されず、着用者１の好みに応じて選択される。
【００１５】
図２、図３に示すように、ヘアエクステンション取付装置１１は、頭髪２に挿通されるホルダ１２と、ホルダ１２を頭髪２上に定着させるプラグ１３と、プラグ１３にヘアエクステンション３を接続する接続具としてのフック１４とから構成されている。ホルダ１２は、シリコンゴム等の柔軟な弾性材料により両端が細く中間部が太い筒形に成形され、ホルダ１２の中心部に頭髪２を通す貫通孔１５が設けられている。
【００１６】
プラグ１３は、貫通孔１５に挿入される挿入部１６を備え、挿入部１６とホルダ１２との間に頭髪２を挟着して、ホルダ１２を頭髪２上に定着させるようになっている。挿入部１６は、金属や樹脂等の硬質材料でコーン状に形成されたコア１７と、コア１７の外周に被着されたゴムや樹脂等の柔軟材料からなるカバー１８とを備え、カバー１８が挿入部１６の外周にホルダ１２を弾性的に拡張変形させるテーパ面１９を形成している。
【００１７】
プラグ１３の端面には、フック１４を取り付ける取付部としてのリング２０がホルダ１２の軸線方向、つまり貫通孔１５の延長方向へ突出するように固着されている。フック１４のボディ２１は紐２２でヘアエクステンション３の一端部（毛髪結束部等）４に連結されている。ボディ２１には固定掛止片２３と可動掛止片２４とレバー２５とが設けられ、レバー２５の指先操作によってフック１４がリング２０に着脱される。
【００１８】
次に、ヘアエクステンション３の取付方法を図４に従って説明する。ヘアエクステンション３を着用者１の頭髪２に取り付けるにあたり、まず、（ａ）に示すように、ニードル５の掛止部６をホルダ１２の貫通孔１５に通す。そして、適量に取り分けた頭髪２を掛止部６に引っ掛け、ニードル５を引き抜いて、頭髪２を貫通孔１５に通す。このとき、ホルダ１２が弾性的に変形するので、掛止部６を頭髪２と共にスムーズに取り出すことができる。
【００１９】
続いて、（ｂ）に示すように、頭髪２を貫通孔１５の取出口の周囲に広げ、プラグ１３の挿入部１６を頭髪２の先端側から貫通孔１５に押し込んで挿入する。そして、（ｃ）に示すように、挿入部１６のテーパ面１９によりホルダ１２の一部を弾性的に拡張変形させ、弾性変形した部分の復元力により頭髪２を挿入部１６とホルダ１２との間に挟着し、摩擦力によってホルダ１２とプラグ１３を頭髪２上に定着させる。
【００２０】
このとき、挿入部１６の外周にテーパ面１９が設けられているため、プラグ１３の先端を貫通孔１５の頭髪取出口にスムーズに差し込むことができる。また、テーパ面１９が柔軟材料からなるカバー１８で形成され、カバー１８が硬質材料からなるコア１７で支持されているので（図３参照）、挿入部１６を座屈させることなく貫通孔１５に容易に挿入でき、しかも、大きな摩擦力でホルダ１２とプラグ１３を頭髪２上にしっかりと定着させることができる。
【００２１】
次に、（ｄ）に示すように、ヘアエクステンション３側のフック１４をプラグ１３のリング２０に取り付け、ヘアエクステンション３をフック１４、リング２０、プラグ１３、ホルダ１２を介して頭髪２の延長方向に延びるようにプラグ１３に接続する。こうすれば、図１に示すように、頭髪２とヘアエクステンション３とがきれいに連続するので、見栄えのよいヘアデザインを創作することができる。
【００２２】
ヘアエクステンション３を装着しない場合は、図５に示すように、フック１４をリング２０から外し、ヘアエクステンション３のみを頭髪２から取り外し、ホルダ１２とプラグ１３はそのまま頭髪２上に残しておく。こうすれば、着用者１は頭髪２の同じ位置にヘアエクステンション３を繰り返し楽に着脱することができる。また、リング２０がプラグ１３の端面に設けられ、ホルダ１２の周囲に突出する部分がないため、頭髪２上に残したホルダ１２とプラグ１３が着用者１に違和感を与えるおそれもない。
【００２３】
本発明は上記実施例に限定されるものではなく、以下に例示するように、発明の趣旨を逸脱しない範囲で、各部の構成や形状を適宜に変更して実施することも可能である。
（１）図６に示すように、プラグ１３の端面にフック（取付部）２７を設け、ヘアエクステンション３の一端部４にリング（接続具）２８を設けること。
【００２４】
（２）図７に示すように、プラグ１３の端部を磁性体（取付部）２９で形成し、ヘアエクステンション３の一端部４に磁石（接続具）３０を設けること。磁性体２９と磁石３０を図示例とは逆に設けてもよい。
【００２５】
（３）図８に示すように、プラグ１３の端面にネジ穴（取付部）３１を形成し、ヘアエクステンション３の一端部４にネジ（接続具）３２と摘み３３を設けること。ネジ穴３１とネジ３２を図示例とは逆に設けてもよい。
【００２６】
（４）図９に示すように、ホルダ１２の外周に取付片（取付部）３４を突設し、取付片３４の穴３５にヘアエクステンション３側のフック（接続具）１４を着脱すること。
【００２７】
（５）図１０に示すように、プラグ１３の端面に一対の取付片（取付部）３６を突設し、二本のヘアエクステンション３を一つのプラグ１３に着脱できるように構成すること。
【００２８】
（６）図１１に示すように、ホルダ１２の外周に一対の取付片（取付部）３７を突設し、二本のヘアエクステンション３を一つのホルダ１２に着脱できるように構成すること。
【００２９】
（７）図１２に示すように、ヘアエクステンション３側の接続具にＳ字形フック３８を使用すること。
【図面の簡単な説明】
【００３０】
【図１】本発明の一実施例を示すヘアエクステンションの装着図である。
【図２】ヘアエクステンション取付装置を示す分解斜視図である。
【図３】ヘアエクステンション取付装置の組付断面図である。
【図４】ヘアエクステンション取付方法の工程説明図である。
【図５】ホルダとプラグを頭髪上に定着させた状態を示す斜視図である。
【図６】ヘアエクステンション取付装置の変更例を示す斜視図である。
【図７】ヘアエクステンション取付装置の別の変更例を示す斜視図である。
【図８】ヘアエクステンション取付装置の別の変更例を示す断面図である。
【図９】ヘアエクステンション取付装置の別の変更例を示す斜視図である。
【図１０】ヘアエクステンション取付装置の別の変更例を示す断面図である。
【図１１】ヘアエクステンション取付装置の別の変更例を示す断面図である。
【図１２】ヘアエクステンション取付装置の別の変更例を示す斜視図である。
【図１３】従来のヘアエクステンション取付方法を示す断面図である。
【図１４】従来の別のヘアエクステンション取付方法を示す断面図である。
【符号の説明】
【００３１】
１    着用者
２    頭髪
３    ヘアエクステンション
１１    取付装置
１２    ホルダ
１３    プラグ
１４    接続具としてのフック
１５    ホルダの貫通孔
１６    プラグの挿入部
１７    挿入部のコア
１８    挿入部のカバー
１９    プラグのテーパ面
２０    取付部としてのリング
【図１】
0005080883.tif 000002
【図２】
0005080883.tif 000003
【図３】
0005080883.tif 000004
【図４】
0005080883.tif 000005
【図５】
0005080883.tif 000006
【図６】
0005080883.tif 000007
【図７】
0005080883.tif 000008
【図８】
0005080883.tif 000009
【図９】
0005080883.tif 000010
【図１０】
0005080883.tif 000011
【図１１】
0005080883.tif 000012
【図１２】
0005080883.tif 000013
【図１３】
0005080883.tif 000014
【図１４】
0005080883.tif 000015